(57)【要約】      （修正有）【課題】カード挿入の際の手間を減らしてカード挿入を容易ならしめる。【解決手段】カード対向面１２ａを有するカード保持部材１２と、カード対向面に対向して配置されたカードと一緒にカード保持部材を挿脱し得る挿脱口１３ａを一端部に持つとともに、そのカードと一緒にカード保持部材を収納可能なカード室を備え、カード保持部材を挿脱口を介してカード室に対して進退移動可能に配設されるケース部材１３と、を具え、カード保持部材１２は、ケース部材の挿脱口から露出する引き手部１２ｂを一端部に持つとともに、その引き手部と反対の側の端部に挿脱口を介するカード室外側への進出移動によってカードと当接してそのカードをカード室の外側に進出移動させるカード当接部１２ｃを有し、カード保持部材の引き手部が設けられた一端部のうちカード対向面と同じ側の面は、カード対向面と同一平面上に位置するかまたはカード対向面と反対の面側に寄って位置する。【選択図】図１
2008134976.tif 000002
【特許請求の範囲】
【請求項１】
カードと対向するカード対向面を有するカード保持部材と、
前記カード対向面に対向して配置されたカードと一緒に前記カード保持部材を挿脱し得る挿脱口を一端部に持つとともに、前記カード対向面に対向して配置されたカードと一緒に前記カード保持部材を収納可能なカード室を備え、前記カード保持部材を前記挿脱口を介して前記カード室の外側に進出移動および前記カード室の内側に後退移動可能に配設されるケース部材と、を具え、
前記カード保持部材は、前記ケース部材の前記挿脱口から露出する引き手部を一端部に持つとともに、その引き手部を持つ端部と反対の側の端部に、前記ケース部材の前記挿脱口を介する当該カード保持部材の前記カード室外側への進出移動によって、前記カード対向面に対向して配置されたカードと当接してそのカードを前記カード室の外側に進出移動させるカード当接部を有し、
前記カード保持部材の前記引き手部が設けられた一端部のうち前記カード対向面と同じ側の面は、前記カード対向面と同一平面上に位置するかまたは前記カード対向面より前記カード対向面と反対の面側に寄って位置するように形成されていることを特徴とする、カード装着装置。
【請求項２】
前記カード保持部材の前記引き手部は、前記カード対向面と反対の側の面よりも突出する突起部を持つことを特徴とする、請求項１記載のカード装着装置。
【請求項３】
前記カード保持部材は、前記ケース部材と係合するケース係合部を有し、
前記ケース部材は、前記挿脱口を介して前記カード保持部材が前記カード室の外側へ進出した状態で前記ケース係合部と係合して前記カード保持部材のさらなる進出を阻止するカード保持部材係止部を有することを特徴とする、請求項１または２記載のカード装着装置。
【請求項４】
前記カード保持部材の、前記カード当接部から前記引き手部の先端までの長さは、前記カードの対応する方向の長さと同一かまたはその長さよりも短いことを特徴とする、請求項１から３までの何れか１項記載のカード装着装置。
【請求項５】
前記ケース部材は、開口部を持つ筐体内に前記挿脱口が前記開口部から露出するように配設され、前記カード保持部材のカード対向面を前記筐体の内側に向けて、前記カード対向面に対向して配置されたカードと一緒に前記カード保持部材を前記カード室に収納することを特徴とする、請求項１から４までの何れか１項記載のカード装着装置。
【発明の詳細な説明】
【技術分野】
【０００１】
この発明は、カードが装着されるカード装着装置に関するものである。
【背景技術】
【０００２】
ＩＣカード等のカードが装着されるカード装着装置としては従来、例えば特許文献１記載の複数のＩＣカードを省スペースで折畳式携帯電子装置に装着する装置が知られており、この従来のカード装着装置は、上記ＩＣカードの一種であるＳＩＭ（Subscriber Identity Module）カードを、ＳＩＭトレイ内に収めた状態でそのＳＩＭトレイと一緒に進退摺動させるようにして、折畳式携帯電子装置内に設けられたカード室に対し挿脱可能としている。
【特許文献１】特開２００４−２２２１７０号公報
【発明の開示】
【発明が解決しようとする課題】
【０００３】
しかしながら上記従来のカード装着装置では、ＳＩＭトレイが、ＳＩＭカードの周囲を囲むとともにそのＳＩＭカードの角の面取り部に対応する面取り部を持つ枠部を有しているため、ＳＩＭトレイがカード室に挿入された状態では当該枠部がカード挿入の際の障害となりＳＩＭカードをカード室に挿入することができない。従って、ＳＩＭカードをカード室に挿入する際には、先ず、ＳＩＭトレイを引き出してそのトレイの枠部の枠内にＳＩＭカードを収め、その後、ＳＩＭトレイと一緒にＳＩＭカードをカード室に挿入する必要があり、手間がかかるという問題があった。
【課題を解決するための手段】
【０００４】
この発明は、上記課題を有利に解決することを目的とするものであり、この発明のカード装着装置は、カードと対向するカード対向面を有するカード保持部材と、前記カード対向面に対向して配置されたカードと一緒に前記カード保持部材を挿脱し得る挿脱口を一端部に持つとともに、前記カード対向面に対向して配置されたカードと一緒に前記カード保持部材を収納可能なカード室を備え、前記カード保持部材を前記挿脱口を介して前記カード室の外側に進出移動および前記カード室の内側に後退移動可能に配設されるケース部材と、を具え、前記カード保持部材は、前記ケース部材の前記挿脱口から露出する引き手部を一端部に持つとともに、その引き手部を持つ端部と反対の側の端部に、前記ケース部材の前記挿脱口を介する当該カード保持部材の前記カード室外側への進出移動によって、前記カード対向面に対向して配置されたカードと当接してそのカードを前記カード室の外側に進出移動させるカード当接部を有し、前記カード保持部材の前記引き手部が設けられた一端部のうち前記カード対向面と同じ側の面は、前記カード対向面と同一平面上に位置するかまたは前記カード対向面より前記カード対向面と反対の面側に寄って位置するように形成されていることを特徴としている。
【発明の効果】
【０００５】
この発明のカード装着装置にあっては、ケース部材が、カード保持部材のカード対向面に対向して配置されたカードと一緒にカード保持部材を挿脱し得る挿脱口を一端部に持つとともに、そのカード対向面に対向して配置されたカードと一緒にカード保持部材を収納可能なカード室を形成し、カード保持部材の引き手部が設けられた一端部の、カード対向面と同じ側の面が、カード対向面と同一平面上に位置するかまたはカード対向面よりも引っ込んで位置するように形成されているので、カードの挿入の際は、カードをケース部材の挿脱口からカード室内に、そのカード室内に後退移動したままのカード保持部材のカード対向面に添わせて移動させることができる。また、カードの取出しの際は、ケース部材の挿脱口から露出した、カード保持部材の引き手部を引くことで、ケース部材の挿脱口を介してカード保持部材をカード室から進出移動させると、カード当接部が、カード対向面に対向して配置されたカードと当接してそのカードを進出移動させ、これによりカードがケース部材の挿脱口からケース部材外に取り出される。
【０００６】
従ってこの発明のカード装着装置によれば、カード挿入の都度、カード保持部材を引き出してそのカード保持部材内にカードを収めてからカード保持部材と一緒にカードをカード室に挿入する必要がないので、カード挿入の際の手間を減らしてカード挿入を容易ならしめることができる。
【発明を実施するための最良の形態】
【０００７】
以下、本発明の実施の形態を実施例によって、図面に基づき詳細に説明する。ここに、図１は、携帯電子装置としての折畳式携帯電話機に設けられた、この発明のカード装着装置の一実施例の構成を示す、図２中のＡ−Ａ線に沿う断面図、図２は、その折畳式携帯電話機の文字入力側筐体を、電池蓋および電池を除いた状態でリアケース側から見て示す斜視図、図３（ａ），（ｂ）は、その折畳式携帯電話機を表示側筐体と文字入力側筐体とを相互に閉じた状態および開いた状態でそれぞれ示す斜視図、そして図４は、その折畳式携帯電話機の文字入力側筐体の内部の構成をこの実施例のカード装着装置の構成とともに示す分解斜視図であり、図中、符号１はその折畳式携帯電話機、１０はこの実施例のカード装着装置を示す。
【０００８】
ここにおける折畳式携帯電話機１は、図３に示すように、表示側筐体２と文字入力側筐体３とを備え、表示側筐体２は、フロントケース２ａとリアケース２ｂとが相互に嵌合固定されて構成され、その一方、文字入力側筐体３は、フロントケース３ａとリアケース３ｂとが相互に嵌合されるとともにケース固定用ネジで固定されて構成されており、表示側筐体２と文字入力側筐体３とは、ヒンジ部４を介して相互に開閉自在に連結されている。
【０００９】
表示側筐体２は、フロントケース２ａとリアケース２ｂとの内部に実装した図示しない回路基板を内蔵し、その回路基板の表面に設置された液晶表示ユニット５がフロントケース２ａからトリムプレートを介して視認可能に配置されている。またその回路基板には、スピーカ等の各種電子部品が実装されて電気的に接続されている。
【００１０】
一方、文字入力側筐体３は、図４に示すように、フロントケース３ａとリアケース３ｂとの内部に、回路基板６を内蔵するとともに、その回路基板６の裏面（図４では上面）に重ねて、通電部材および電磁シールド部材としての金属製の図示しないシールドケースが設置されており、そのシールドケースには、複数のキースイッチを搭載してキー基板を構成する図示しないキーフレキシブル基板（キーＦＰＣ）が重ねられている。そしてそのキーＦＰＣには、図示しないキーシートが重ねて配置され、またそのキーシートの上記キースイッチと対向する位置には図３に示す操作キー７がそれぞれ配置され、この操作キー７がフロントケース３ａから表出している。また回路基板６には、マイク等の各種電子部品が実装されて電気的に接続されている。
【００１１】
さらに、文字入力側筐体３内には、図４に示す電池８の収納のために、図２に示すように、電池収納部３ｃが設けられ、文字入力側筐体３のリアケース３ｂには、電池８の着脱用の開口３ｄ（開口部）が形成されて、そこに開口３ｄを被覆可能な電池蓋９が着脱可能に装着される。
【００１２】
かかる折畳式携帯電話機１の文字入力側筐体３内に設けられたこの実施例のカード装着装置１０は、例えばＩＣカードの一種であるＵＩＭ（User Identity Module）カード１１を上記折畳式携帯電話機１に挿脱可能に装着するためのもので、図１および図４に示すように、カード保持部材としてのＵＩＭ引き出し１２と、ケース部材としての実装板金部材１３と、サブ基板１４とを具えており、ここでＵＩＭ引き出し１２は、平面形状が略コ字形の板状をなすとともに、一方の面（図１では下面）に平坦なカード対向面１２ａ（カードとの対向面）を有している。
【００１３】
また実装板金部材１３は、サブ基板１４の裏面上に例えば半田付け等により実装され、そのサブ基板１４は、図２に示す状態から文字入力側筐体３のリアケース３ｂを除いた図５の斜視図に示す如く、実装板金部材１３をサブ基板ケース１５との間に挟むようにしてサブ基板ケース１５を介して回路基板６に搭載されている。また、実装板金部材１３は、図１に示すように、ＵＩＭ引き出し１２のカード対向面に対向して配置されたＵＩＭカード１１と一緒にＵＩＭ引き出し１２を挿脱し得る挿脱口１３ａを一端部に持つとともに、図４に示すように、カード対向面１２ａに対向して配置されたＵＩＭカード１１と一緒にＵＩＭ引き出し１２を収納可能なカード室１３ｂを形成し、これにより後述のように、ＵＩＭ引き出し１２を、挿脱口１３ａを介してカード室１３ｂの外側に進出移動可能およびカード室１３ｂの内側に後退移動可能に配設する。なお、挿脱口１３ａは、電池蓋９がない状態における文字入力側筐体３の開口３ｄから視認可能に露出している。
【００１４】
この実施例のカード装着装置１０について、以下に、図面を用いてさらに具体的に説明する。ここに、図６（ａ），（ｂ），（ｃ）は、サブ基板１４の裏面上に実装された実装板金部材１３と、その実装板金部材１３が形成するカード室１３ｂ内にＵＩＭカード１１と一緒に収納されたＵＩＭ引き出し１２とを示す図であり、図６（ａ）は、サブ基板１４の表面側から、そして図６（ｂ）は、サブ基板１４の裏面側からそれぞれ見た斜視図であり、図６（ｃ）は、その図６（ｂ）中のＢ−Ｂ線に沿う断面図である。そして図７（ａ），（ｂ）は、そのサブ基板１４の裏面上に実装された実装板金部材１３を示す側面図および裏面図であり、図８は、そのサブ基板１４の裏面上の実装板金部材１３で覆われる位置に実装されたバネ接点タイプコネクター１６を実装板金部材１３を除いて示す斜視図である。
【００１５】
また、図９（ａ），（ｂ）は、実装板金部材１３を表側および裏側からそれぞれ見た斜視図、図１０（ａ），（ｂ）は、サブ基板１４の裏面上に実装された実装板金部材１３と、そこに収納されたＵＩＭ引き出し１２と、サブ基板１４の裏面上に実装されたバネ接点タイプコネクター１６との位置関係をサブ基板１４を省略して示す実装板金部材１３の裏側の二方向からそれぞれ見た斜視図、そして図１１は、図１０（ｂ）と同様のものを、ＵＩＭ引き出し１２のカード対向面１２ａに対向して配置されたＵＩＭカード１１とともに、ＵＩＭ引き出し１２を所定係止位置まで引き出した状態で示す斜視図である。
【００１６】
これらの図並びに図１に示すように、ＵＩＭ引き出し１２はその一端部（図１では右端部）に、実装板金部材１３の挿脱口１３ａから露出してカード対向面１２ａと反対の側の面よりも突出する突出部を有する引き手部１２ｂを備えるとともに、その引き手部１２ｂに隣接する板状部の両端部から引き手部１２ｂと直角かつ互いに平行に延在する二本の脚部を有して前述のように略コ字形をなしている。そして、サブ基板１４の裏面上に実装されたバネ接点タイプコネクター１６は、ＵＩＭ引き出し１２の進出移動および後退移動に干渉しないようにそのコ字形のＵＩＭ引き出し１２の内側に位置して、ＵＩＭ引き出し１２のカード対向面１２ａに対向して配置されて実装板金部材１３のカード室１３ｂ内の所定挿入位置に位置したＵＩＭカード１１の表面の電極と電気的に接続される。
【００１７】
またＵＩＭ引き出し１２は、その引き手部１２ｂを持つ端部と反対の側の端部すなわち上記二本の脚部のうちの長い方の脚部の先端部（図１では左端部）に、実装板金部材１３の挿脱口１３ａを介するＵＩＭ引き出し１２の進出移動によって、カード対向面１２ａに対向して配置されたＵＩＭカード１１と当接してそのカードを進出移動させるように、カード対向面１２ａから突出したカード当接部１２ｃを有している。そしてＵＩＭ引き出し１２の、引き手部１２ｂが設けられた一端部の、カード対向面１２ａと同じ側の面は、そのカード対向面１２ａと同一平面上に位置するように形成されて、実質的にカード対向面１２ａの一部をなしている。
【００１８】
さらにＵＩＭ引き出し１２は、それら二本の脚部からそれぞれ側方へ突出するケース係合部１２ｄを有し、また実装板金部材１３は、図７（ａ）に示すように、サブ基板１４の裏面上に実装された状態では細長いスロットを形成する、ＵＩＭ引き出し１２のケース係合部１２ｄの厚さに概略等しい深さの細長い切り欠き部１３ｃを左右側部に有し、それらの切り欠き部１３ｃは各々、長手方向中央部で少し深く切り欠かれているので、実装板金部材１３がサブ基板１４の裏面上に実装された状態でそれら切り欠き部１３ｃが形成するスロットは各々、長手方向中央部で幅が滑らかに広がっている。
【００１９】
ＵＩＭ引き出し１２の二本の脚部のケース係合部１２ｄは、図１１に示すように、実装板金部材１３の内側から上記左右の切り欠き部１３ｃに挿通されて実装板金部材１３の外部に突出し、これによりこれらの切り欠き部１３ｃの一端部は、実装板金部材１３の挿脱口１３ａを介するＵＩＭ引き出し１２の進出状態で、そのＵＩＭ引き出し１２のケース係合部１２ｄと係合して、ＵＩＭ引き出し１２のさらなる進出を阻止するカード保持部材係止部として機能する。
【００２０】
ここで、左右の切り欠き部１３ｃが形成するスロットは各々長手方向中央部で滑らかに広がる幅を有しているので、実装板金部材１３にＵＩＭ引き出し１２を組み付ける際は、ＵＩＭ引き出し１２の二本の脚部の先端部を弾性的に寄せながら、それらのスロットの幅広の中央部までＵＩＭ引き出し１２の二本の脚部を挿入すれば、それらの脚部のケース係合部１２ｄを、左右の切り欠き部１３ｃが形成するスロットに容易に挿通することができる。さらにそれら左右の切り欠き部１３ｃが形成するスロットの幅広の中央部からは、図７（ａ）に示すように、サブ基板１４の裏面上に実装されたバネ接点タイプコネクター１６が横から見えるので、この切り欠き部１３ｃによれば、バネ接点タイプコネクター１６の弾性状態（接点が起きていること）を容易に確認することができる。なお、図７（ｂ）に示すように、実装板金部材１３の表面にも、バネ接点タイプコネクター１６の弾性状態を確認できるように複数の穴１３ｄが設けられている。
【００２１】
また、実装板金部材１３の左右の切り欠き部１３ｃは各々、その中央部を除けばＵＩＭ引き出し１２のケース係合部１２ｄの厚さに概略等しい深さを有していることから、それら左右の切り欠き部１３ｃが形成するスロットは各々、その中央部を除けばケース係合部１２ｄの厚さに概略等しい幅を有しているので、実装板金部材１３の挿脱口１３ａを介してＵＩＭ引き出し１２を進出および後退移動させる際には、それら左右の切り欠き部１３ｃが形成するスロットはＵＩＭ引き出し１２の移動を案内するガイド部として機能し、ＵＩＭ引き出し１２を進出移動させて実装板金部材１３の左右の切り欠き部１３ｃの上記一端部にＵＩＭ引き出し１２の二本の脚部のケース係合部１２ｄを係合させると、それらのケース係合部１２ｄは左右の切り欠き部１３ｃが形成するスロットに密に嵌合し、これによりＵＩＭ引き出し１２はしっかりと支持される。
【００２２】
さらにＵＩＭ引き出し１２の、カード当接部１２ｃの、ＵＩＭカード１１と当接する端縁から引き手部１２ｂの先端までの長さは、その長さ方向に対応する方向の、ＵＩＭカード１１の長さと略同一かそれよりも短く（図示例では略同一と）されている。これは、ＵＩＭカード１１を抜き出す際はＵＩＭ引き出し１２の一端部のカード当接部１２ｃだけがＵＩＭカード１１と当接すれば足り、先に示した特許文献１のＳＩＭトレイのようにカードの周囲を囲むとともにカードの角の面取りをするための枠部を必要としないのでＵＩＭ引き出し１２は短くて済み、ＵＩＭカード１１を挿入する際はＵＩＭ引き出し１２が長すぎるとそれがかえってＵＩＭカード１１の挿入の妨げになるからである。
【００２３】
このようにして、この実施例のカード装着装置１０の実装板金部材１３は、電池８の着脱用の開口３ｄを持つ文字入力側筐体３内に搭載され、ＵＩＭ引き出し１２のカード対向面１２ａを文字入力側筐体３の内側に向けて、そのカード対向面１２ａに対向して配置されたＵＩＭカード１１と一緒にＵＩＭ引き出し１２をカード室１３ｂ内に収納する。
【００２４】
かかるこの実施例のカード装着装置１０にあっては、実装板金部材１３が、ＵＩＭ引き出し１２のカード対向面１２ａに対向して配置されたＵＩＭカード１１と一緒にＵＩＭ引き出し１２を挿脱し得る挿脱口１３ａを一端部に持つとともに、そのカード対向面１２ａに対向して配置されたＵＩＭカード１１と一緒にＵＩＭ引き出し１２を収納し得るカード室１３ｂを形成し、ＵＩＭ引き出し１２の引き手部１２ｂが設けられた一端部の、カード対向面１２ａと同じ側の面が、カード対向面１２ａと同一平面上に位置するように形成されているので、ＵＩＭカード１１の挿入の際は、先ず電池蓋９を開けて電池収納部３ｃ内から電池８を取り出してから、図１２（ａ）に矢印で示すように、実装板金部材１３の挿脱口１３ａからカード室１３ｂ内に、そのカード室１３ｂ内に後退移動したままのＵＩＭ引き出し１２のカード対向面１２ａに添わせて移動させてＵＩＭカード１１を挿入する。
【００２５】
またＵＩＭカード１１の取出しの際は、先ず電池蓋９を開けて電池収納部３ｃ内から電池８を取り出してから、図１２（ｂ）に矢印で示すように、実装板金部材１３の挿脱口１３ａから露出した、ＵＩＭ引き出し１２の引き手部１２ｂを引くことで、その挿脱口１３ａを介してＵＩＭ引き出し１２をカード室１３ｂから電池収納部３ｃ内に進出移動させると、カード当接部１２ｃが、カード対向面１２ａに対抗して配置されたＵＩＭカード１１の端部と当接してそのＵＩＭカード１１を進出移動させ、これによりＵＩＭカード１１が実装板金部材１３の挿脱口１３ａから実装板金部材１３外に取り出される。
【００２６】
また、この際、カード対向面１２ａに対抗して配置されたＵＩＭカード１１の全体がカード室１３ｂの外に引き出される状態となるまでＵＩＭ引き出し１２を進出移動させる必要はなく、例えば図１１に示す如きケース係合部１２ｄと切り欠き部１３ｃとが当接している状態のような、ＵＩＭカード１１の一部がカード室１３ｂの外へ露出する状態となるまでＵＩＭ引き出し１２を引き出せば、その後は、ＵＩＭカード１１を、ＵＩＭ引き出し１２のカード対向面１２ａから引き手部１２ｂが設けられた一端部のカード対向面と同じ側の面に向けて添わせるようにカード室１３ｂの外に取り出し、または、一旦ＵＩＭ引き出し１２を後退移動させてカード室１３ｂ内に収納し、ＵＩＭカード１１をカード対向面１２ａから離間させてから（この場合は、カード当接部１２ｃはＵＩＭカード１１と当接しないため、ＵＩＭ引き出し１２の後退移動に伴ってＵＩＭカード１１も後退移動することはない。）、ＵＩＭカード１１をカード室１３ｂの外に取り出せばよい。
【００２７】
従ってこの実施例のカード装着装置１０によれば、ＵＩＭカード１１の挿入の都度、ＵＩＭ引き出し１２を引き出してそのＵＩＭ引き出し１２内にＵＩＭカード１１を収めてからＵＩＭ引き出し１２と一緒にＵＩＭカード１１をカード室１３ｂに挿入する必要がないので、ＵＩＭカード１１の挿入の際の手間を減らしてＵＩＭカード１１の挿入を容易ならしめることができる。また逆に、ＵＩＭカード１１の取り出しの都度、ＵＩＭカード１１の全体がカード室１３ｂの外に引き出される状態になるまでＵＩＭ引き出し１２を進出移動させる必要はなく、ＵＩＭカード１１の一部がカード室１３ｂの外へ露出する状態となるまでＵＩＭ引き出し１２を引き出せば、ＵＩＭカード１１をカード室１３ｂの外に引き出すことができるため、ＵＩＭカード１１の取り出しの際の手間を減らしてＵＩＭカード１１の取り出しを容易ならしめることができる。さらに、先に示したように、ＵＩＭカード１１の一部がカード室１３ｂの外へ露出する状態となるまでＵＩＭ引き出し１２を引き出した後、ＵＩＭ引き出し１２を後退移動させてカード室１３ｂ内に収納してＵＩＭカード１１をカード対向面１２ａから離間させてからＵＩＭカード１１をカード室１３ｂの外に取り引き出すようにすれば、ＵＩＭカード１１を取り出す際にＵＩＭ引き出し１２が取り出しの邪魔にならず、より好適にＵＩＭカード１１をカード室１３ｂの外に引き出すことができる。
【００２８】
しかもこの実施例のカード装着装置１０によれば、高い剛性を持つ実装板金部材１３が、サブ基板１４の裏面上に実装されて支持剛性を高めており、その実装板金部材１３が、ＵＩＭ引き出し１２と一緒にＵＩＭカード１１をカード室１３ｂに収納して、これもサブ基板１４の裏面上に実装されたバネ接点タイプコネクター１６にそのＵＩＭカード１１の電極を接触させるので、落下衝撃等による通電の瞬断を有効に防止することができる。
【００２９】
さらに、この実施例のカード装着装置１０によれば、ＵＩＭ引き出し１２の引き手部１２ｂが、実装板金部材１３の挿脱口１３ａから露出するとともにカード対向面１２ａと反対の側の面から突出していることから、その引き手部１２ｂに指先や爪を掛けることで、ＵＩＭカード１１の大きさにほぼ等しい極めて小さなＵＩＭ引き出し１２を容易に引き出すことができる。
【００３０】
さらに、この実施例のカード装着装置１０によれば、ＵＩＭ引き出し１２がその両側部にケース係合部１２ｄを有し、実装板金部材１３の両側部の切り欠き部１３ｃの端部が、挿脱口１３ａを介するＵＩＭ引き出し１２の進出状態で上記ケース係合部１２ｄと係合してＵＩＭ引き出し１２のさらなる進出すなわち抜け出しを阻止するので、極めて小さなＵＩＭ引き出し１２の紛失を確実に防止することができる。
【００３１】
さらに、この実施例のカード装着装置１０によれば、ＵＩＭ引き出し１２の、カード当接部１２ｃの、ＵＩＭカード１１と係合する端縁から引き手部１２ｂの先端までの長さが、その長さ方向に対応する方向の、ＵＩＭカード１１の長さと略同一かそれよりも短くされているので、カード装着装置の省スペース化を実現することができる。
【００３２】
そして、この実施例のカード装着装置１０によれば、実装板金部材１３は、電池８の着脱用の開口３ｄを持つ文字入力側筐体３内に挿脱口１３ａが開口３ｄから露出するよう配設され、ＵＩＭ引き出し１２のカード対向面１２ａを文字入力側筐体３の内側に向けて、そのカード対向面１２ａに対向して配置されたＵＩＭカード１１と一緒にＵＩＭ引き出し１２をカード室１３ｂ内に収納することから、ＵＩＭ引き出し１２および引き手部１２ｂがＵＩＭカード１１よりも文字入力側筐体３の外側に位置するので、これによっても、極めて小さなＵＩＭ引き出し１２を容易に引き出すことができる。
【００３３】
以上、図示例に基づき説明したが、この発明は上述の例に限定されるものでなく、特許請求の範囲の記載範囲内で適宜変更し得るものであり、例えばこの発明のカード装着装置は、携帯電話機以外の、例えば無線通信機能付きパームトップコンピュータや無線通信機能付きゲーム機等の携帯電子装置にも、あるいはそれ以外の電子装置にも適用することができる。またこの発明のカード装着装置におけるカードは、ＵＩＭカード１１以外の、例えばＳＩＭカード等のＩＣカード等、その他のカードでも良い。
【００３４】
また、上述した実施例ではＵＩＭ引き出し１２をＵＩＭカード１１よりも文字入力側筐体３の開口３ｄに近づけて配置したが、逆にカードの方を、カード保持部材よりも、筐体の開口部に近づけて配置しても良い。
【００３５】
さらに、上述した実施例ではＵＩＭ引き出し１２の引き手部１２ｂを、実装板金部材１３の挿脱口１３ａから露出させるとともにカード対向面１２ａと反対の側の面よりも突出させたが、代わりにカード保持部材の引き手部に、指先や爪等が掛かる凹部やスリットを形成しても良い。
【００３６】
また、上述した実施例ではＵＩＭ引き出し１２の、引き手部１２ｂが設けられた一端部のカード保持面と同じ側の面は、カード対向面１２ａと同一平面上に位置するよう形成されていたが、代わりに、カード対向面１２ａとは反対の側の面側に引っ込んで位置するように、すなわち、カード対向面１２ａよりカード対向面１２ａと反対の面側に寄って位置するよう形成されていてもよい。例えば、引き手部１２ｂが設けられた一端部のカード保持面と同じ側の面に、カード対向面１２ａと反対の面側に寄って位置する部位からカード対向面１２ａまで連続して面取りされた傾斜面や段差が形成されていればよい。
【産業上の利用可能性】
【００３７】
かくしてこの発明のカード装着装置によれば、カード挿入の際に、いちいちカード保持部材を引き出してそのカード保持部材内にカードを収めてからカード保持部材と一緒にカードをカード室に挿入する必要がないので、カード挿入の際の手間を減らしてカード挿入を容易ならしめることができる。
【図面の簡単な説明】
【００３８】
【図１】携帯電子装置としての折畳式携帯電話機に設けられた、この発明のカード装着装置の一実施例の構成を示す、図２中のＡ−Ａ線に沿う断面図である。
【図２】上記折畳式携帯電話機の文字入力側筐体を、電池蓋および電池を除いた状態でリアケース側から見て示す斜視図である。
【図３】（ａ），（ｂ）は、上記折畳式携帯電話機を表示側筐体と文字入力側筐体とを相互に閉じた状態および開いた状態でそれぞれ示す斜視図である。
【図４】上記折畳式携帯電話機の文字入力側筐体の内部の構成をそこに設けられた上記実施例のカード装着装置の構成とともに示す分解斜視図である。
【図５】図２に示す状態から文字入力側筐体のリアケースを除いた斜視図である。
【図６】（ａ），（ｂ），（ｃ）は、上記実施例のカード装着装置の、サブ基板の裏面上に実装された実装板金部材と、その実装板金部材が形成するカード室内にＵＩＭカードと一緒に収納されたＵＩＭ引き出しとを示す、サブ基板の表面側および裏面側からそれぞれ見た斜視図および、その（ｂ）中のＢ−Ｂ線に沿う断面図である。
【図７】（ａ），（ｂ）は、上記サブ基板の裏面上に実装された上記実装板金部材を示す側面図および裏面図である。
【図８】上記サブ基板の裏面上の上記実装板金部材で覆われる位置に実装されたバネ接点タイプコネクターをその実装板金部材を除いて示す斜視図である。
【図９】（ａ），（ｂ）は、上記実装板金部材を表側および裏側からそれぞれ見た斜視図である。
【図１０】（ａ），（ｂ）は、上記サブ基板の裏面上に実装された上記実装板金部材と、そこに収納された上記ＵＩＭ引き出しと、サブ基板の裏面上に実装された上記バネ接点タイプコネクターとの位置関係をそのサブ基板を省略して示す上記実装板金部材の裏側の二方向からそれぞれ見た斜視図である。
【図１１】図１０（ｂ）と同様のものを、上記ＵＩＭ引き出しのカード対向面に保持された上記ＵＩＭカードとともに、そのＵＩＭ引き出しを所定係止位置まで引き出した状態で示す斜視図である。
【図１２】（ａ），（ｂ）は、上記実施例のカード装着装置の、上記ＵＩＭカードの挿入方法と引き出し方法とをそれぞれ示す斜視図である。
【符号の説明】
【００３９】
１  折畳式携帯電話機
２  表示側筐体
２ａ，３ａ  フロントケース
２ｂ，３ｂ  リアケース
３  文字入力側筐体
３ｃ  電池収納部
３ｄ  開口
４  ヒンジ部
５  液晶表示ユニット
６  回路基板
７  操作キー
８  電池
９  電池蓋
１０  カード装着装置
１１  ＵＩＭカード
１２  ＵＩＭ引き出し
１２ａ  カード対向面
１２ｂ  引き手部
１２ｃ  カード当接部
１２ｄ  ケース係合部
１３  実装板金部材
１３ａ  挿脱口
１３ｂ  カード室
１３ｃ  切り欠き部
１３ｄ  穴
１４  サブ基板
１５  サブ基板ケース
１６  バネ接点タイプコネクター
【図１】
2008134976.tif 000003
【図２】
2008134976.tif 000004
【図３】
2008134976.tif 000005
【図４】
2008134976.tif 000006
【図５】
2008134976.tif 000007
【図６】
2008134976.tif 000008
【図７】
2008134976.tif 000009
【図８】
2008134976.tif 000010
【図９】
2008134976.tif 000011
【図１０】
2008134976.tif 000012
【図１１】
2008134976.tif 000013
【図１２】
2008134976.tif 000014